【事件の表示】
　特許第６４５９１７５号発明「液晶表示装置及び偏光板」の特許異議申立事件について、次のとおり決定する。
【結　論】
　特許第６４５９１７５号の特許請求の範囲を訂正請求書に添付された訂正特許請求の範囲及び図面のとおり、訂正後の請求項１−３について訂正することを認める。
　特許第６４５９１７５号の請求項１に係る特許を取り消す。
　同請求項２、３に係る特許を維持する。
【理　由】
第１　手続の経緯
　特許第６４５９１７５号（以下「本件特許」という。）の請求項１ないし３に係る特許についての出願は、平成２６年１月２９日に出願され、平成３１年１月１１日にその特許権の設定登録がされ、同年１月３０日に特許掲載公報が発行された。本件特許異議の申立ての経緯は、次のとおりである。
　　
　令和元年　７月２９日　　：特許異議申立人鈴木美香による請求項１ない
　　　　　　　　　　　　　　し３に係る特許に対する特許異議の申立て
　　　　　　　　　　　　 　（全請求項）
　同年　９月　９日付け　　：取消理由通知（同年９月１２日発送）　
　同年１１月１１日　　　　：特許権者による意見書及び訂正請求書の提出
　同年１１月２７日付け　　：通知書（同年１２月２日発送）
　同年１２月２４日　　　　：特許異議申立人鈴木美香による意見書の提出
　令和２年　１月１６日付け：取消理由通知（同年１月２２日発送）
　同年　３月２３日　　　　：特許権者による意見書及び訂正請求書の提出
　同年　４月　７日付け　　：通知書（同年４月１０日発送）
　同年　５月　８日　　　　：特許異議申立人鈴木美香による意見書の提出
第２　訂正の適否
１　訂正の内容
　令和２年３月２３日付け訂正請求書による訂正（以下「本件訂正」という。）は、願書に添付した特許請求の範囲を、次のとおり訂正しようとするものである（下線は、当審が付したものである。以下、同じ。）。
　なお、訂正前の請求項１及び２に対応する訂正後の請求項１及び２は、一群の請求項である。
　また、特許者は、訂正後の請求項２について、別途訂正することを求めている。
(１)訂正事項１
　特許請求の範囲の請求項１に、
　「【請求項１】
　光源側偏光板及び視認側偏光板、並びにこれらの偏光板の間に配置される液晶セルを含む液晶表示装置であり、
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下であり、４５００〜３００００ｎｍのリタデーションを有するポリエステルフィルム
条件Ｂ：面内リタデーション（Ｒｅ）が１０ｎｍ以下であり、且つ、厚み方向リタデーション（Ｒｔｈ）が２０ｎｍ以下」と記載されているのを、
　「【請求項１】
　光源側偏光板及び視認側偏光板、並びにこれらの偏光板の間に配置される液晶セルを含む液晶表示装置であり、
　
光源側偏光板及び視認側偏光板が、それぞれ、ポリビニールアルコールフィルムからなる偏光子の両側に偏光子保護フィルムが設けられた偏光板であり
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
条件Ｂ：面内リタデーション（Ｒｅ）が１０ｎｍ以下であり、且つ、厚み方向リタデーション（Ｒｔｈ）が２０ｎｍ以下」に訂正する。
　
(２)訂正事項２
　特許請求の範囲の請求項２に、
　「【請求項２】
　液晶セルがインプレーンスイッチング（ＩＰＳ）型液晶セルである、請求項１に記載の液晶表示装置。」と記載されているのを独立形式に書き改め、
　「【請求項２】
　光源側偏光板及び視認側偏光板、並びにこれらの偏光板の間に配置される液晶セルを含む液晶表示装置であり、
　液晶セルがインプレーンスイッチング（ＩＰＳ）型液晶セルであり、
　
光源側偏光板及び視認側偏光板が、それぞれ、ポリビニールアルコールフィルムからなる偏光子の両側に偏光子保護フィルムが設けられた偏光板であり
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
一軸延伸
条件Ｂ：面内リタデーション（Ｒｅ）が１０ｎｍ以下であり、且つ、厚み方向リタデーション（Ｒｔｈ）が２０ｎｍ以下」に訂正する。
(３)訂正事項３
　特許請求の範囲の請求項３に、
　「【請求項３】
　偏光子の両面に偏光子保護フィルムが設けられた偏光板であり、一方の偏光子保護フィルが下記条件Ａを満たし、他方の偏光子保護フィルムが下記条件Ｂを満たす、偏光板。
条件Ａ：フィルム流れ方向に対して＋４５度方向の熱収縮率とフィルム流れ方向に対して−４５度方向の熱収縮率との差が０．４％以下であり、４５００〜３００００ｎｍのリタデーションを有するポリエステルフィルム
条件Ｂ：面内リタデーション（Ｒｅ）が１０ｎｍ以下であり、且つ、厚み方向リタデーション（Ｒｔｈ）が２０ｎｍ以下」と記載されているのを、
　「【請求項３】
　
ポリビニルアルコールフィルムからなる
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
一軸延伸
条件Ｂ：面内リタデーション（Ｒｅ）が１０ｎｍ以下であり、且つ、厚み方向リタデーション（Ｒｔｈ）が２０ｎｍ以下」に訂正する。
２　訂正要件の判断
(１)訂正事項１
　ア　訂正の目的
　訂正事項１は、訂正前の請求項１に係る発明を特定するために必要な、
(ア)「光源側偏光板」及び「視認側偏光板」について、「ポリビニールアルコールフィルムからなる偏光子の両側に偏光子保護フィルムが設けられた偏光板」であることを特定し、
(イ)「熱収縮率」について、「フィルムを８５℃で３０分間、水中で加熱処理した時に求められる値である」ことを特定し、
(ウ)「４５００〜３００００ｎｍのリタデーションを有するポリエステルフィルム」について、「Ｎｚ係数が１．７以下、面配向度が０．０８〜０．１３である」ことを特定し、
(エ)「厚みが７５μｍであり、リタデーションが７３５０ｎｍであり、厚み方向のリタデーション（Ｒｔｈ）が７８００ｎｍであるポリエステルフィルム」を除くものであるから、「特許請求の範囲の減縮」を目的とする訂正である。
　イ　新規事項追加の有無
(ア)本件特許明細書には、以下の記載がある。　
　「【００１７】
斜め方向の熱収縮率差を求める為のフィルムの熱収縮率は、フィルムを８５℃で３０分間、水中で加熱処理した時に求められる値である。」
　「【００２８】　
（Ｎｚ係数）
　偏光子保護フィルムＡは、上述のリタデーションの範囲であることに加えて、｜ｎｙ−ｎｚ｜／｜ｎｙ−ｎｘ｜で表されるＮｚ係数が１．７以下であることが好ましい。」
　「【００３０】
（面配向係数）
　……面配向度が０．１３以下にすることで、液晶表示装置を斜め方向から観察した場合に角度によって観察される虹斑を完全に解消することができる。面配向度は０．０８以上が好ましく、より好ましくは０．１０以上である。面配向度が０．０８未満では、フィルム厚みが変動し、リタデーションの値がフィルム面内で不均一になる場合がある。」
　「【００３４】
（フィルム厚み）
　偏光子保護フィルムＡの厚みは、特に制限されないが、通常１５〜３００μｍであり、好ましくは１５〜２００μｍである。」
　「【００４８】
（配向ポリエステルフィルムの製造方法）
　偏光子保護フィルムとして用いるフィルムは、一般的なフィルムの製造方法に従って製造することができる。……偏光子保護フィルムは、一軸延伸フィルムでも、二軸延伸フィルムであっても良い。」
　「【００９２】
２．偏光板
　偏光板は、ヨウ素で染色されたポリビニルアルコール系フィルム等からなる偏光子の両側を２枚の偏光子保護フィルムで挟んだ構成である。……。」
(イ)上記(ア)からして、上記ア(ア)ないし(ウ)は、新規事項を追加するものではない。
　また、本件特許明細書に、「厚みが７５μｍであり、リタデーションが７３５０ｎｍであり、厚み方向のリタデーション（Ｒｔｈ）が７８００ｎｍであるポリエステルフィルム」以外のポリエステルフィルムが記載されていることは明らかである。
　ウ　実質拡張変更の有無 
　上記イに照らして、訂正事項１は、実質上特許請求の範囲を拡張し、又は変更するものではない。
(２)訂正事項２
　ア　訂正の目的
　訂正事項２は、請求項間の引用を解消して、独立形式請求項に改める訂正であって、訂正前の請求項２に係る発明を特定するために必要な、
(ア)「光源側偏光板」及び「視認側偏光板」について、「ポリビニールアルコールフィルムからなる偏光子の両側に偏光子保護フィルムが設けられた偏光板」であることを特定し、
(イ)「熱収縮率」について、「フィルムを８５℃で３０分間、水中で加熱処理した時に求められる値である」ことを特定し、
(ウ)「４５００〜３００００ｎｍのリタデーションを有するポリエステルフィルム」について、「『Ｎｚ係数が１．７以下であり、面配向度が０．０８〜０．１３である』『一軸延伸ポリエステルフィルム』」であることを特定し、
(エ)「厚みが７５μｍであり、リタデーションが７３５０ｎｍであり、厚み方向のリタデーション（Ｒｔｈ）が７８００ｎｍであるポリエステルフィルム」を除くものであるから、「特許請求の範囲の減縮」を目的とする訂正である。
　イ　新規事項追加の有無
(ア)本件特許明細書には、以下の記載がある。　
　「【００１７】
　斜め方向の熱収縮率差を求める為のフィルムの熱収縮率は、フィルムを８５℃で３０分間、水中で加熱処理した時に求められる値である。」
　「【００２８】　
（Ｎｚ係数）
　偏光子保護フィルムＡは、上述のリタデーションの範囲であることに加えて、｜ｎｙ−ｎｚ｜／｜ｎｙ−ｎｘ｜で表されるＮｚ係数が１．７以下であることが好ましい。」
　「【００３０】
（面配向係数）
　……面配向度が０．１３以下にすることで、液晶表示装置を斜め方向から観察した場合に角度によって観察される虹斑を完全に解消することができる。面配向度は０．０８以上が好ましく、より好ましくは０．１０以上である。面配向度が０．０８未満では、フィルム厚みが変動し、リタデーションの値がフィルム面内で不均一になる場合がある。」
　「【００３４】
（フィルム厚み）
　偏光子保護フィルムＡの厚みは、特に制限されないが、通常１５〜３００μｍであり、好ましくは１５〜２００μｍである。」
　「【００４８】
（配向ポリエステルフィルムの製造方法）
　偏光子保護フィルムとして用いるフィルムは、一般的なフィルムの製造方法に従って製造することができる。……偏光子保護フィルムは、一軸延伸フィルムでも、二軸延伸フィルムであっても良い。」
　「【００９２】
２．偏光板
　偏光板は、ヨウ素で染色されたポリビニルアルコール系フィルム等からなる偏光子の両側を２枚の偏光子保護フィルムで挟んだ構成である。……。」
(イ)上記(ア)からして、上記ア(ア)ないし(ウ)は、新規事項を追加するものではない。
　また、本件特許明細書に、「厚みが７５μｍであり、リタデーションが７３５０ｎｍであり、厚み方向のリタデーション（Ｒｔｈ）が７８００ｎｍであるポリエステルフィルム」以外のポリエステルフィルムが記載されていることは明らかである。
　ウ　実質拡張変更の有無 
　上記イに照らして、訂正事項２は、実質上特許請求の範囲を拡張し、又は変更するものではない。
(３)訂正事項３
　ア　訂正の目的
　訂正事項３は、訂正前の請求項３に係る発明を特定するために必要な、
(ア)「偏光子」について、「ポリビニールアルコールフィルムからなる偏光子」であることを特定し、
(イ)「熱収縮率」について、「フィルムを８５℃で３０分間、水中で加熱処理した時に求められる値である」ことを特定し、
(ウ)「４５００〜３００００ｎｍのリタデーションを有するポリエステルフィルム」について、「『Ｎｚ係数が１．７以下であり、面配向度が０．０８〜０．１３である』『一軸延伸ポリエステルフィルム』」であることを特定し、
(エ)「厚みが７５μｍであり、リタデーションが７３５０ｎｍであり、厚み方向のリタデーション（Ｒｔｈ）が７８００ｎｍであるポリエステルフィルム」を除くものであるから、「特許請求の範囲の減縮」を目的とする訂正である
また、(オ)「一方の偏光子保護フィルが下記条件Ａを満たし」を「一方の偏光子保護フィルムが下記条件Ａを満たし」に訂正するものであるから、「誤記又は誤訳の訂正」を目的とする訂正である。
　イ　新規事項追加の有無
(ア)本件特許明細書には、以下の記載がある。　
　「【００１７】
　斜め方向の熱収縮率差を求める為のフィルムの熱収縮率は、フィルムを８５℃で３０分間、水中で加熱処理した時に求められる値である。」
　「【００２８】　
　（Ｎｚ係数）
　偏光子保護フィルムＡは、上述のリタデーションの範囲であることに加えて、｜ｎｙ−ｎｚ｜／｜ｎｙ−ｎｘ｜で表されるＮｚ係数が１．７以下であることが好ましい。」
　「【００３０】
　（面配向係数）
　……面配向度が０．１３以下にすることで、液晶表示装置を斜め方向から観察した場合に角度によって観察される虹斑を完全に解消することができる。面配向度は０．０８以上が好ましく、より好ましくは０．１０以上である。面配向度が０．０８未満では、フィルム厚みが変動し、リタデーションの値がフィルム面内で不均一になる場合がある。」
　「【００３４】
（フィルム厚み）
　偏光子保護フィルムＡの厚みは、特に制限されないが、通常１５〜３００μｍであり、好ましくは１５〜２００μｍである。」
　「【００４８】
（配向ポリエステルフィルムの製造方法）
　偏光子保護フィルムとして用いるフィルムは、一般的なフィルムの製造方法に従って製造することができる。……偏光子保護フィルムは、一軸延伸フィルムでも、二軸延伸フィルムであっても良い。」
　「【００９２】
２．偏光板
　偏光板は、ヨウ素で染色されたポリビニルアルコール系フィルム等からなる偏光子の両側を２枚の偏光子保護フィルムで挟んだ構成である。……。」
(イ)上記(ア)からして、上記ア(ア)ないし(ウ)及び(オ)は、新規事項を追加するものではない。
　また、本件特許明細書に、「厚みが７５μｍであり、リタデーションが７３５０ｎｍであり、厚み方向のリタデーション（Ｒｔｈ）が７８００ｎｍであるポリエステルフィルム」以外のポリエステルフィルムが記載されていることは明らかである。
　ウ　実質拡張変更の有無 
　上記イに照らして、訂正事項３は、実質上特許請求の範囲を拡張し、又は変更するものではない
３　訂正の適否についての小括 
　以上のとおり、本件訂正は、特許法第１２０条の５第２項ただし書き第１号、第２号及び第４号に掲げる事項を目的とするものであり、かつ、同条第９項で準用する同法第１２６条第５項及び第６項の規定に適合する。
　よって、本件特許請求の範囲を、訂正請求書に添付した訂正特許請求の範囲のとおり、訂正後の請求項１−３について訂正することを認める。
第３　本件訂正発明の認定
　本件訂正は、上記「第２」のとおり認められたので、本件訂正後の請求項１ないし３に係る発明（以下「本件訂正発明１」ないし「本件訂正発明３」という。）は、本件訂正後の請求項１ないし３に記載された事項により特定される、次のとおりのものと認められる。
［本件訂正発明１］
　「光源側偏光板及び視認側偏光板、並びにこれらの偏光板の間に配置される液晶セルを含む液晶表示装置であり、
　
光源側偏光板及び視認側偏光板が、それぞれ、ポリビニールアルコールフィルムからなる偏光子の両側に偏光子保護フィルムが設けられた偏光板であり
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
条件Ｂ：面内リタデーション（Ｒｅ）が１０ｎｍ以下であり、且つ、厚み方向リタデーション（Ｒｔｈ）が２０ｎｍ以下」
［本件訂正発明２］
　「光源側偏光板及び視認側偏光板、並びにこれらの偏光板の間に配置される液晶セルを含む液晶表示装置であり、
　液晶セルがインプレーンスイッチング（ＩＰＳ）型液晶セルであり、
　
光源側偏光板及び視認側偏光板が、それぞれ、ポリビニールアルコールフィルムからなる偏光子の両側に偏光子保護フィルムが設けられた偏光板であり
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
一軸延伸
条件Ｂ：面内リタデーション（Ｒｅ）が１０ｎｍ以下であり、且つ、厚み方向リタデーション（Ｒｔｈ）が２０ｎｍ以下」
［本件訂正発明３］
　「
ポリビニルアルコールフィルムからなる
条件Ａ：フィルム流れ方向に対して＋４５度方向の熱収縮率とフィルム流れ方向に対して−４５度方向の熱収縮率との差が０．４％以下(
ここで、前記熱収縮率は、フィルムを８５℃で３０分間、水中で加熱処理した時に求められる値である)、Ｎｚ係数が１．７以下であり、面配向度が０．０８〜０．１３であり
一軸延伸
条件Ｂ：面内リタデーション（Ｒｅ）が１０ｎｍ以下であり、且つ、厚み方向リタデーション（Ｒｔｈ）が２０ｎｍ以下」
　
第４　取消理由の概要
　本件訂正前の請求項１ないし３に係る特許（以下「本件発明１」ないし「本件発明３」という。）に対して、当審が令和２年１月１６日付けで特許権者に通知した取消理由の要旨は、次のとおりである。
　　　
【理由１】（新規性欠如）
　本件発明１ないし本件発明３は、甲第９号証に記載された発明であって、特許法第２９条第１項第３号に該当するから、本件発明１ないし本件発明３に係る特許は、特許法第２９条第１項の規定に違反してされたものである。
　
甲第９号証：国際公開第２０１１／１６２１９８号
　
【理由２】（進歩性欠如）
　本件発明１ないし本件発明３は、甲第９号証及び甲第１０号証に記載された発明に基づいて、当業者が容易に発明をすることができたものであり、特許法２９条２項の規定により特許を受けることができないものであるから、本件発明１ないし本件発明３に係る特許は、特許法２９条２項の規定に違反してなされたものである。
　
甲第９号証　：国際公開第２０１１／１６２１９８号
甲第１０号証：特開２００９−６５４３号公報
【理由３】（明確性要件違反）
　本件発明１ないし本件発明３に係る特許は、下記の理由により、特許法第３６条第６項第２号に規定する要件を満たしていない特許出願に対してされたものであるから、本件発明１ないし本件発明３に係る特許は、特許法第３６条第６項第２号の規定に違反してなされたものである。
理由（１）：「条件Ａ」に関する発明特定事項は、液晶表示装置及び偏光板の構成（物の構造）をどのように特定することになるのか不明瞭である。
理由（２）：熱収縮率は、測定条件（温度、湿度、時間等）により異なるものと解され、「条件Ａ」に該当するフィルムを特定することができない。
　　　
第５　当審の判断
１　甲第９号証の記載内容
（１）甲第９号証には、以下の記載がある。
　ア　「【特許請求の範囲】 　
［請求項１］　バックライト光源と、２つの偏光板の間に配された液晶セルとを有する液晶表示装置であって、　
　前記バックライト光源は白色発光ダイオードであり、 　
　前記偏光板は偏光子の両側に偏光子保護フィルムを積層した構成からなり、
　前記偏光子保護フィルムの少なくとも１つは３０００〜３００００ｎｍのリタデーションを有するポリエステルフィルムである、液晶表示装置。
［請求項２］　
　……
［請求項４］　前記白色発光ダイオードが、青色ＬＥＤ素子と黄色蛍光体とで構成される、請求項１〜３のいずれかに記載の液晶表示装置。」　
　
　イ　「［００２１］　上記効果を奏するために、偏光子保護フィルムに用いられるポリエステルフィルムは、３０００〜３００００ｎｍのリタデーションを有することが好ましい。リタデーションが３０００ｎｍ未満では、偏光子保護フィルムとして用いた場合、斜め方向から観察した時に強い干渉色を呈するため、包絡線形状が光源の発光スペクトルと相違し、良好な視認性を確保することができない。好ましいリタデーションの下限値は４５００ｎｍ、次に好ましい下限値は５０００ｎｍ、より好ましい下限値は６０００ｎｍ、更に好ましい
下限値は８０００ｎｍ
一方、リタデーションの上限は
３００００ｎｍ
[００２２]
　……　
[００２５]　
本発明の偏光板は、ポリビニルアルコール（ＰＶＡ）などにヨウ素を染着させた偏光子を２枚の偏光子保護フィルムを張り合わせた構造
ＴＡＣフィルムやアクリルフィルム、ノルボルネン系フィルムに代表されるような複屈折が無いフィルムを用いることが好ましい
　ウ　「[００３５]　易接着層には易滑性を付与するために粒子を添加することが好ましい。微粒子の平均粒径は２μｍ以下の粒子を用いることが好ましい。粒子の平均粒径が２μｍを超えると、粒子が被覆層から脱落しやすくなる。易接着層に含有させる粒子としては、例えば、酸化チタン、硫酸バリウム、炭酸カルシウム、硫酸カルシウム、シリカ、アルミナ、タルク、カオリン、クレー、リン酸カルシウム、雲母、ヘクトライト、ジルコニア、酸化タングステン、フッ化リチウム、フッ化カルシウム等の無機粒子や、スチレン系、アクリル系、メラミン系、ベンゾグアナミン系、シリコーン系等の有機ポリマー系粒子等が挙げられる。これらは、単独で易接着層に添加されてもよく、２種以上を組合せて添加することもできる。」
　エ　「[００３８]　本発明の保護フィルムであるポリエステルフィルムは、一般的なポリエステルフィルムの製造方法に従って製造することができる。例えば、ポリエステル樹脂を溶融し、シート状に押出し成形された無配向ポリエステルをガラス転移温度以上の温度において、ロールの速度差を利用して縦方向に延伸した後、テンターにより横方向に延伸し、熱処理を施す方法が挙げられる。
［００３９］　本
発明のポリエステルフィルムは一軸延伸フィルムであっても、二軸延伸フィルムであってもかまわない
［００４０］　この現象は、二軸延伸フィルムが、走行方向、幅方向、厚さ方向で異なる屈折率を有する屈折率楕円体からなり、フィルム内部での光の透過方向によりリタデーションがゼロになる（屈折率楕円体が真円に見える）方向が存在するためである。従って、液晶表示画面を斜め方向の特定の方向から観察すると、リタデーションがゼロになる点を生じる場合があり、その点を中心として虹状の色斑が同心円状に生じることとなる。そして、フィルム面の真上（法線方向）から虹状の色斑が見える位置までの角度をθとすると、この角度θは、フィルム面内の複屈折が度大きいほど大きくなり、虹状の色斑は見え難くなる。二軸延伸フィルムでは角θが小さくなる傾向があるため、一軸延伸フィルムのほうが虹状の色斑は見え難くなり好ましい。
［００４１］　しかしながら、完全な１軸性（１軸対称）フィルムでは配向方向と直行する方向の機械的強度が著しく低下するので好ましくない。本発明は、実質的に虹状の色斑を生じない範囲、または液晶表示画面に求められる視野角範囲において虹状の色斑を生じない範囲で、２軸性（２軸対象性）を有していることが好ましい。
［００４２］　本発明者等は、保護フィルムの機械的強度を保持しつつ、虹斑の発生を抑制する手段として、保護フィルムのリタデーション（面内リタデーション）と厚さ方向のリタデーション（Ｒｔｈ）との比が特定の範囲に収まるように制御することを見出した。厚さ方向位相差は、フィルムを厚さ方向断面から見たときの２つの複屈折△Ｎｘｚ、△Ｎｙｚにそれぞれフィルム厚さｄを掛けて得られる位相差の平均を意味する。面内リタデーションと厚さ方向リタデーションの差が小さいほど、観察角度による複屈折の作用は等方性を増すため、観察角度によるリタデーションの変化が小さくなる。そのため、観察角度による虹状の色斑が発生し難くなると考えられる。
［００４３］　本発明者等 本発明のポリエステルフィルムのリタデーションと厚さ方向リタデーションの
比（Ｒｅ／Ｒｔｈ）は、好ましくは０．２００以上、より好ましくは０．５００以上、さらに好ましくは０．６００以上である。上記リタデーションと厚さ方向リタデーションの比（Ｒｅ／Ｒｔｈ）が大きいほど、複屈折の作用は等方性を増し、観察角度による虹状の色斑の発生が生じ難くなる
［００４４］　一方、本発明のポリエステルフィルムのリタデーションと厚さ方向リタデーションの
比
［００４５］ 
　…… 
［００４９］ 
　本発明のポリエステルフィルムの厚みは任意であるが、１５〜３００μｍの範囲が好ましく、より好ましくは１５〜２００μｍの範囲である。１５μｍを下回る厚みのフィルムでも、原理的には３０００ｎｍ以上のリタデーションを得ることは可能である。しかし、その場合にはフィルムの力学特性の異方性が顕著となり、裂け、破れ等を生じやすくなり、工業材料としての実用性が著しく低下する。
特に好ましい厚みの下限は２５μｍである。一方、偏光子保護フィルムの厚みの上限は、３００μｍを超えると偏光板の厚みが厚くなりすぎてしまい好ましくない。偏光子保護フィルムとしての実用性の観点からは厚みの上限は２００μｍが好ましい
　オ　「［００５７］（４）虹斑観察　
ＰＶＡとヨウ素からなる偏光子の片側に後述する方法で作成したポリエステルフィルムを偏光子の吸収軸とフィルムの配向主軸が垂直になるように貼り付け
青色発光ダイオードとイットリウム・アルミニウム・ガーネット系黄色蛍光体とを組み合わせた発光素子からなる白色ＬＥＤを光源
　
(２)甲第９号証に記載された発明
　ア　上記（１）アの記載からして、甲第９号証には、
　「バックライト光源と、２つの偏光板の間に配された液晶セルとを有する液晶表示装置であって（請求項１）、
　前記バックライト光源は青色ＬＥＤ素子と黄色蛍光体とで構成される白色発光ダイオードであり（請求項４）、
　前記偏光板は偏光子の両側に偏光子保護フィルムを積層した構成からなり、
　前記液晶セルに対して出射光側に配される偏光板の射出光側の偏光子保護フィルムが、３０００〜３００００ｎｍのリタデーションを有するポリエステルフィルムからなるフィルムである（請求項２）、
液晶表示装置。」が記載されているものと認められる。
　
　以下、「２つの偏光板」を、それぞれ、「光源側偏光板」及び「視認側偏光板」という。
　また、各偏光板における「（両側の）偏光子保護フィルム」を、それぞれ、「光源側偏光子保護フィルム」及び「視認側偏光子保護フィルム」という。
　イ　上記（１）イの記載からして、以下のことが理解できる。
(ア)上記アの「３０００〜３００００ｎｍのリタデーション」は、８０００〜３００００ｎｍが好ましいものと認められる。
(イ)「光源側偏光板」及び「視認側偏光板」は、ポリビニルアルコールにヨウ素を染着させた偏光子を２枚の偏光子保護フィルムを張り合わせた構造を有すること。
(ウ)視認側偏光板の光源側偏光子保護フィルムには、ＴＡＣフィルムやアクリルフィルム、ノルボルネン系フィルムに代表されるような複屈折が無いフィルムを用いることが好ましいこと。
　ウ　上記（１）ウの記載からして、
　上記アの「（ポリエステルフィルムからなる）偏光子保護フィルム」は、易接着層を介して偏光子に貼り付けてもよいものと認められる。
　エ　上記（１）エの記載からして、以下のことが理解できる。
(ア)面内リタデーションと厚さ方向リタデーションの差が小さいほど、観察角度による複屈折の作用は等方性を増すため、観察角度によるリタデーションの変化が小さくなること。
(イ)Ｒｅ／Ｒｔｈが大きいほど、複屈折の作用が等方性を増し、観察角度による虹状の色斑の発生が生じ難くなるものの、２．０に近づけると機械的強度が低下すること。
(ウ)比（Ｒｅ／Ｒｔｈ）は、約１．０〜１．２であってもよいこと。
(エ)ポリエステルフィルムは、厚みが２５〜２００μｍの一軸延伸又は二軸延伸ポリエステルフィルムであってもよいこと。
以下、簡略のため、厚さ方向リタデーションを「Ｒｔｈ」と表記する。
　オ　上記（１）オの記載からして、以下のことが理解できる。
　上記アの「（ポリエステルフィルムからなる）偏光子保護フィルム」は、その配向主軸が易接着層を介して偏光子の吸収軸に対して垂直になるように貼り付けてもよいこと。
　カ　上記アないしオからして、甲第９号証には、次の発明（以下「引用発明」という。）が記載されているものと認められる。
　
　「バックライト光源と、光源側偏光板及び視認側偏光板の間に配された液晶セルとを有する液晶表示装置であって、　
　前記バックライト光源は、青色ＬＥＤ素子と黄色蛍光体とで構成される白色発光ダイオードであり、
　前前光源側偏光板及び前記視認側偏光板は、ポリビニルアルコールにヨウ素を染着させた偏光子を２枚の偏光子保護フィルムを張り合わせた構造を有し、
　前記視認側偏光板の光源側偏光子保護フィルムは、
　ＴＡＣフィルムやアクリルフィルム、ノルボルネン系フィルムに代表されるような複屈折が無いフィルムであり、
　前記視認側偏光板の光源側偏光子保護フィルムは、
　８０００〜３００００ｎｍのリタデーションを有し、複屈折の作用が等方性を増し、観察角度による虹状の色斑の発生が生じ難くなるように比（Ｒｅ／Ｒｔｈ）を約１．０〜１．２にした、厚み２５〜２００μｍの一軸延伸又は二軸延伸ポリエステルフィルムであり、その配向主軸が易接着層を介して前記偏光子の吸収軸に対して垂直になるように貼り付けられている、液晶表示装置。」
２　甲第１０号証の記載内容
(１)甲第１０号証には、以下の記載がある。
　ア　「【００２８】
（面配向度（ΔＰ））
　本発明の
二軸配向フィルム
０．１１０〜０．１４０
【００２９】
（配向主軸の最大歪み）
延伸倍率を下げ、面配向度を低下させることによりフィルムの幅方向に対する配向主軸の歪みを小さくすることができる。すなわち、逐次延伸による通常の延伸倍率（３〜５倍）では、フィルムの幅方向の端部では、いわゆるボーイング現象により配向主軸が幅方向に対して歪む為、軸方向でのフィルムの物性に差が生じる。しかし、
本発明の二軸配向ポリエステルフィルムでは、延伸倍率を下げ、面配向度を低下しているため、端部においても配向主軸の歪が小さく
　イ　「【００７６】
本発明者は、同時二軸延伸による二軸配向ポリエステルフィルムの製造において、面配向が小さく、且つ、厚み斑の小さいポリエステルフィルムを得るためには、延伸倍率と延伸速度と延伸温度の関係が重要である事を見出し、延伸倍率と延伸速度と延伸温度を高度に制御することで本発明に至った。すなわち、延伸速度は小さくする程、延伸温度は高くする程、長鎖高分子の配向性は低くなり、面配向度（ΔＰ）を小さくする傾向にある。そこで、面配向度（ΔＰ）を下げるために、単に延伸倍率を小さくするだけでなく、延伸速度と延伸温度を高度に制御することで、
厚み斑の少ない二軸配向ポリエステルフィルム
　　
(２)甲第１０号証に記載の技術事項
　上記（１）からして、甲第１０号証には、次の技術的事項（以下、「甲第１０号証に記載の技術事項」という。）が記載されているものと認められる。
　
　「同時二軸延伸において、延伸倍率、延伸速度及び延伸温度を制御して、二軸配向ポリエステルフィルムの面配向度（ΔＰ）を０．１１０〜０．１４０とすることで、厚み斑が少なく、かつ、フィルムの幅方向に対する配向主軸の歪みの小さい、二軸配向ポリエステルフィルムを得られること。」
　　　　　 　 　
３　【理由２】（進歩性欠如）について
(１)本件訂正発明１について
　ア　対比
(ア)a 引用発明の「光源側偏光板」は、本件訂正発明１の「光源側偏光板」に相当する。
　以下、同様に、
　「視認側偏光板」は、「視認側偏光板」に、
　「液晶セル」は、「液晶セル」に、
　「液晶表示装置」は、「液晶表示装置」に、
　「視認側偏光板の視認側偏光子保護フィルム」は、「視認側偏光板の視認側偏光子保護フィルム」に、
　「視認側偏光板の光源側偏光子保護フィルム」は、「視認側偏光板の液晶セル側偏光子保護フィルム」に、それぞれ、相当する。　
　
　ｂ よって、 本件訂正発明１と引用発明とは「光源側偏光板及び視認側偏光板、並びにこれらの偏光板の間に配置される液晶セルを含む液晶表示装置である」点で一致する。
(イ)引用発明の「光源側偏光板及び視認側偏光板」は、「ポリビニルアルコールにヨウ素を染着させた偏光子を２枚の偏光子保護フィルムを張り合わせた構造」を有するから、本件訂正発明１と引用発明とは「光源側偏光板及び視認側偏光板が、それぞれ、ポリビニルアルコールフィルムからなる偏光子の両側に偏光子保護フィルムが設けられた偏光板である」点で一致する。
　　
(ウ)ａ　偏光板は、ポリビニルアルコールフィルムをロールから連続的に巻き出し、染色タンクに搬送して染料を吸着させ、次いで延伸タンクに搬送して搬送方向に延伸して偏光子を形成し、この偏光子の両面に、上下２つのロールから偏光子保護フィルムを連続的に巻き出しながらラミネートし、最後にロール状に巻き取ることにより製造されることが、技術常識であると認められるところ、
　引用発明の「視認側偏光子保護フィルム」は、「厚み２５〜２００μｍの一軸延伸又は二軸延伸ポリエステルフィルム」であるから、その製造工程における「ＭＤ方向」、「ＴＤ方向」、「ＭＤ方向（フィルム流れ方向）に対して＋４５度方向」及び「ＭＤ方向（フィルム流れ方向）に対して−４５度方向」のそれぞれに、所定の熱収縮率を有することは、当業者にとって明らかである（以下「技術常識」という。）。
　必要ならば、例えば、下記の文献を参照のこと。
　甲第８号証（特開２００２−１７２６９６公報の【００３４】）
　国際公開第２０１３／１１１７７９号（【００７５】ないし
　　　　　　　　　　　　　　　　　　　【００７９】）
　特開２０１０−２７４４３０号公報（【０００２】ないし【０００５】）
　特開２０１０−１６５５１１号公報（【００１３】及び表２）
　特開２００５−１８６５５５号公報（【０００７】ないし【００１１】）
　特開２００２−３０１７６３号公報（【００３３】）
　特開平１１−２５４５７８号公報（【００２６】）
　特開昭５８−３６４１３号公報（特許請求の範囲）
　ちなみに、特開２０１０−１６５５１１号公報の表２は、以下のものである。
※　実施例１における製品中央部で、「４５°熱収縮率（％）」と「１３５°熱収縮率（％）」との差がゼロであることが分かる。
　b　そうすると、上記工程で製造された引用発明の「視認側偏光板」における「視認側偏光子保護フィルム」は、ポリビニルアルコールのフィルム流れ方向に対して、「＋４５度方向の熱収縮率」と「−４５度方向の熱収縮率」との差が所定値以下であることは、明らかである。
　c　また、引用発明の「視認側偏光子保護フィルム」は、「比（Ｒｅ／Ｒｔｈ）を約１．０〜１．２とした」ものであるところ、Ｎｚ係数は、ＲｅとＲｔｈを用いると、Ｒｔｈ／Ｒｅ＋０．５と表せることから、該フィルムのＮｚ係数は、１．３〜１．５程度である。
　
d　さらに、面配向度ΔＰは「（ｎｘ＋ｎｙ)／２−ｎｚ）」又は「Ｒｔｈ／ｄ」で表せることから、引用発明の「８０００〜３００００ｎｍのリタデーションを有し…厚み２５〜２００μｍの一軸延伸又は二軸延伸ポリエステルフィルム」は、所定の面配向度を有することは、明らかである。
　
　e　そうすると、本件訂正発明１と引用発明とは、
「視認側偏光板の視認側偏光子保護フィルムが、下記条件Ａを満たし、
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有するポリエステルフィルムである」点で一致する。
(エ)引用発明の「光源側偏光子保護フィルム」は、「ＴＡＣフィルムやアクリルフィルム、ノルボルネン系フィルムに代表されるような複屈折が無いフィルム」であるから、所定の面内リタデーション（Ｒｅ）と、所定の厚み方向リタデーション（Ｒｔｈ）を有することは、当業者にとって明らかであるから、本件訂正発明１と引用発明とは、
　「視認側偏光板の液晶セル側偏光子保護フィルムは、下記条件Ｂを満たす、
条件Ｂ：面内リタデーション（Ｒｅ）がハｎｍ以下であり、かつ、厚み方向のリタデーション（Ｒｔｈ）が二ｎｍ以下である」点で一致する。
(オ)引用発明の「視認側偏光子保護フィルム」は、「８０００〜３００００ｎｍのリタデーション」であるから、リタデーションが７３５０ｎｍであるポリエステルフィルムを含まない。
　よって、本件訂正発明１と引用発明とは、「厚みが７５μｍであり、リタデーションが７３５０ｎｍであり、厚み方向のリタデーション（Ｒｔｈ）が７８００ｎｍであるポリエステルフィルムを含まない」点で一致する。
　
(カ)以上のことから、本件訂正発明１と引用発明とは、以下の点で一致する。
　＜一致点＞
　「光源側偏光板及び視認側偏光板、並びにこれらの偏光板の間に配置される液晶セルを含む液晶表示装置であり、
　光源側偏光板及び視認側偏光板が、それぞれ、ポリビニルアルコールフィルムからなる偏光子の両側に偏光子保護フィルムが設けられた偏光板であり、
　光源側偏光板の光源側偏光子保護フィルム又は視認側偏光板の視認側偏光子保護フィルムの少なくとも一方が、下記条件Ａを満たし、
光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有するポリエステルフィルム(但し、厚みが７５μｍであり、リタデーションが７３５０ｎｍであり、厚み方向のリタデーション（Ｒｔｈ）が７８００ｎｍである前記ポリエステルフィルムを除く)
条件Ｂ：面内リタデーション（Ｒｅ）がハｎｍ以下であり、且つ、厚み方向リタデーション（Ｒｔｈ）が二ｎｍ以下」
(キ)一方、両者は、以下の点で相違する。
　＜相違点１＞
　条件Ａに関して、
　本件訂正発明１は、
　ａ　「フィルム流れ方向に対して＋４５度方向の熱収縮率とフィルム流れ方向に対して−４５度方向の熱収縮率との差が０．４％以下（ここで、前記熱収縮率は、フィルムを８５℃で３０分間、水中で加熱処理した時に求められる値である。）」であり、
　ｂ　「面配向度が０．０８〜０．１３」であるのに対して、
　引用発明は、熱収縮率の差及び面配向度が不明である点。
　
　＜相違点２＞
　条件Ｂに関して、
　本件訂正発明１は、「面内リタデーション（Ｒｅ）が１０ｎｍ以下であり、且つ、厚み方向リタデーション（Ｒｔｈ）が２０ｎｍ以下」であるのに対して、
　引用発明は、不明である点。
　イ　判断
(ア)まず、上記＜相違点２＞について検討する。
　引用発明の「ＴＡＣフィルムやアクリルフィルム、ノルボルネン系フィルムに代表されるような複屈折が無いフィルム」は、複屈折の生じないことを期待して採用するものであるから、面内リタデーション（Ｒｅ）と厚み方向リタデーション（Ｒｔｈ）の両方がゼロに近いフィルムを選択することは、適宜なし得ることである。
　必要ならば、下記の文献を参照。
　特開２０１３−１９０７７８号公報（【０１０５】）　
　特開２０１０−２４３８５８号公報（【００３２】）　
　特開２００９−２９２９６１号公報（【要約】）
　ちなみに、特開２０１０−２４３８５８号公報の【００３２】には、以下の記載がある。
「【００３２】
〔Ｂ−２．透明保護フィルム〕 
　前記透明保護フィルムは、特に制限されないが、色付が無いことが好ましい。前記透明保護フィルムの、波長５５０ｎｍにおける面内位相差値Ｒｅ［５５０］は、例えば、０〜１０ｎｍの範囲であり、好ましくは、０〜６ｎｍの範囲であり、さらに好ましくは、０〜３ｎｍの範囲である。前記透明保護フィルムの、波長５５０ｎｍにおける厚み方向位相差値Ｒｔｈ［５５０］は、例えば、０〜２０ｎｍの範囲であり、好ましくは、０〜１０ｎｍの範囲であり、より好ましくは、０〜６ｎｍの範囲であり、さらに好ましくは、０〜３ｎｍの範囲である。」
(イ)次に、上記＜相違点１＞について検討する。
　ａ　偏光板（偏光子フィルムと偏光子保護フィルム）に反りが発生すると、光漏れなどの問題を生じることは、当該技術分野において周知の課題である。
　必要ならば、特許異議申立書の第３３ないし３４頁に例示された下記の文献Ａないし文献Ｄ等を参照。　
　文献Ａ：特開２００５−３０９３９４号公報（【０００５】）　
　文献Ｂ：特開２００７−２６４５３５号公報（【０００１】〜
　　　　　　　　　　　　　　　　　　　　　　【０００２】）
　文献Ｃ：特開２００８−２６７９７号公報（【０００３】）
　文献Ｄ：特開２００９−９８６５３号公報（【０００４】）
　さらに、必要ならば、国際公開第２００７／０２３９２９号（［要約］、［０３１４］及び図４を参照。）を参照。
　ちなみに、図４は、以下のものである。
１０…偏光膜
１１…フィルム
１２…（カールを矯正するための）フィルム
　ｂ　ところで、フィルムの製品中央部では、熱収縮率の斜め差は小さいものの、フィルムの製品端部では、熱収縮率の斜め差が大きくなり、加工時等に、シワやカールなどが発生することは、当業者によく知られていることであって、熱収縮率の斜め差を小さくするために、オフラインアニール処理を施すことも、当業者によく知られていることである。
　たとえば、上記「技術常識」を示す文献として提示した国際公開第２０１３／１１１７７９号の【００７８】には「さらに、熱収縮率を低下させるためには、上記の工程で製造されたフィルムを一旦ロール状に巻き取った後、
オフラインでアニール
また、特開２０１０−２７４４３０号公報の【０００４】には「オフラインで二軸延伸ポリエステルフィルムに熱弛緩処理方法は、多数提案されている。例えば、懸垂状態で連続的に走行させたフィルムを、
特定の温度条件下で弛緩することによって熱収縮率を０．１％以下
　さらに、特開２００５−１８６５５５号公報の【０００７】には「加工フィルムの取位置、つまり、製膜時にその機台の幅方向のどの位置の製品ロールかで加工特性が変化すること、いわゆるボーイング現象は良く知られている。
機台の中心は長手方向と４５度をなす直角二方向の物性の差異は少ない
　ｃ　してみると、偏光板に反りが生じないように、引用発明の「厚み２５〜２００μｍの一軸延伸又は二軸延伸ポリエステルフィルム」として、例えば、「製品中央部のロールフィルム」や「オフラインアニール処理を施したフィルム」を使用することに何ら困難性は認められない。
　そして、該フィルムは、「フィルム流れ方向に対して＋４５度方向の熱収縮率とフィルム流れ方向に対して−４５度方向の熱収縮率との差が０．４％以下（ここで、前記熱収縮率は、フィルムを８５℃で３０分間、水中で加熱処理した時に求められる値である。）」であると認められる。
　また、「０．４％以下」に臨界的な技術的意義は認められない。
　d　次に、面配向度について検討する。
　甲第１０号証には、下記の「甲第１０号証に記載された技術事項」が記載されている。
　「同時二軸延伸において、延伸倍率、延伸速度及び延伸温度を制御して、二軸配向ポリエステルフィルムの面配向度（ΔＰ）を０．１１０〜０．１４０とすることで、厚み斑が少なく、かつ、フィルムの幅方向に対する配向主軸の歪みの小さい、二軸配向ポリエステルフィルムを得られること。」
　そうすると、引用発明の「（８０００〜３００００ｎｍのリタデーションを有する）二軸延伸ポリエステルフィルム」においても、厚み斑が少なく、かつ、フィルムの幅方向に対する配向主軸の歪みの小さいものとなるように、面配向度を「０．１１〜０．１４」程度に設定することは、当業者が容易になし得たことである。
　そして、「０．１３以下」に臨界的な技術的意義は認められない。
(ウ)以上の検討によれば、引用発明において、上記＜相違点１＞及び＜相違点２＞に係る本件訂正発明１の構成を採用することは、当業者が容易になし得たことである。
　ウ　効果
　本件訂正発明１の奏する効果は、当業者が引用発明の奏する効果から予測し得る範囲内のものである。
　エ　令和２年３月２３日提出の意見書（特許権者）における主張について
(ア)特許権者は、甲第１０号証に記載された「ポリエステルフィルム」は、ほぼ等方的に二軸延伸されたポリエステルフィルムであり、引用発明の「視認側偏光板の視認側偏光子保護フィルム」とは全く物性が異なるものであるから、面配向度だけを参考にして抜き出して、引用発明の「視認側偏光板の視認側偏光子保護フィルム」に適用する動機のない旨主張する(第１０頁後段ないし第１１頁中段)。
　しかしながら、甲第９号証の表１に示された、例えば、実施例８のフィルムは、走行方向延伸倍率３．５、幅方向延伸倍率３．７であり、ほぼ等方的に二軸延伸されたフィルムであるといえるから、甲第１０号証に記載された「ポリエステルフィルム」と全く物性が異なるものであるとはいえない。
(イ)よって、特許権者の主張は、上記判断を左右するものではない。
　オ　本件訂正発明１についての小括
　本件訂正発明１は、当業者が引用発明及び甲第１０号証に記載された技術事項に基づいて容易に発明をすることができたものである。
(２)本件訂正発明２について
　ア　対比
(ア)a 引用発明の「光源側偏光板」は、本訂正件発明２の「光源側偏光板」に相当する。
以下、同様に、
　「視認側偏光板」は、「視認側偏光板」に、
　「液晶セル」は、「液晶セル」に、
　「液晶表示装置」は、「液晶表示装置」に、
　「視認側偏光板の視認側偏光子保護フィルム」は、「視認側偏光板の視認側偏光子保護フィルム」に、
　「視認側偏光板の光源側偏光子保護フィルム」は、「視認側偏光板の液晶セル側偏光子保護フィルム」に、それぞれ、相当する。　
　
　ｂ よって、 本件訂正発明２と引用発明とは「光源側偏光板及び視認側偏光板、並びにこれらの偏光板の間に配置される液晶セルを含む液晶表示装置である」点で一致する。
(イ)引用発明の「光源側偏光板及び視認側偏光板」は、「ポリビニルアルコールにヨウ素を染着させた偏光子を２枚の偏光子保護フィルムを張り合わせた構造」を有するから、本件訂正発明２と引用発明とは「光源側偏光板及び視認側偏光板が、それぞれ、ポリビニルアルコールフィルムからなる偏光子の両側に偏光子保護フィルムが設けられた偏光板である」点で一致する。
　　
(ウ)ａ　偏光板は、ポリビニルアルコールフィルムをロールから連続的に巻き出し、染色タンクに搬送して染料を吸着させ、次いで延伸タンクに搬送して搬送方向に延伸して偏光子を形成し、この偏光子の両面に、上下２つのロールから偏光子保護フィルムを連続的に巻き出しながらラミネートし、最後にロール状に巻き取ることにより製造されることが、技術常識であると認められるところ、　
　引用発明の「視認側偏光子保護フィルム」は、「厚み２５〜２００μｍの一軸延伸又は二軸延伸ポリエステルフィルム」であるから、その製造工程における「ＭＤ方向」、「ＴＤ方向」、「ＭＤ方向（フィルム流れ方向）に対して＋４５度方向」及び「ＭＤ方向（フィルム流れ方向）に対して−４５度方向」のそれぞれに、所定の熱収縮率を有することは、当業者にとって明らかである。
　b　そうすると、上記工程で製造された引用発明の「視認側偏光板」における「視認側偏光子保護フィルム」は、ポリビニルアルコールのフィルム流れ方向に対して、「＋４５度方向の熱収縮率」と「−４５度方向の熱収縮率」との差が所定値以下であることは、明らかである。
　c　また、引用発明の「視認側偏光子保護フィルム」は、「比（Ｒｅ／Ｒｔｈ）を約１．０〜１．２とした」ものであるところ、Ｎｚ係数は、ＲｅとＲｔｈを用いると、Ｒｔｈ／Ｒｅ＋０．５と表せることから、該フィルムのＮｚ係数は、１．３〜１．５程度である。
　
d　さらに、面配向度ΔＰは「（ｎｘ＋ｎｙ)／２−ｎｚ）」又は「Ｒｔｈ／ｄ」で表せることから、引用発明の「８０００〜３００００ｎｍのリタデーションを有し…厚み２５〜２００μｍの一軸延伸又は二軸延伸ポリエステルフィルム」は、所定の面配向度を有することは、明らかである。
　
　e　そうすると、本件訂正発明２と引用発明とは、
　「視認側偏光板の視認側偏光子保護フィルムが、下記条件Ａを満たし、
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有する
一軸延伸
(エ)引用発明の「光源側偏光子保護フィルム」は、「ＴＡＣフィルムやアクリルフィルム、ノルボルネン系フィルムに代表されるような複屈折が無いフィルム」であるから、所定の面内リタデーション（Ｒｅ）と、所定の厚み方向リタデーション（Ｒｔｈ）を有することは、当業者にとって明らかであるから、本件訂正発明２と引用発明とは、
　「視認側偏光板の液晶セル側偏光子保護フィルムは、下記条件Ｂを満たす、
条件Ｂ：面内リタデーション（Ｒｅ）がハｎｍ以下であり、かつ、厚み方向のリタデーション（Ｒｔｈ）が二ｎｍ以下である」点で一致する。
(オ)引用発明の「視認側偏光子保護フィルム」は、「８０００〜３００００ｎｍのリタデーション」であるから、リタデーションが７３５０ｎｍであるポリエステルフィルムを含まない。
よって、本件訂正発明２と引用発明とは、「厚みが７５μｍであり、リタデーションが７３５０ｎｍであり、厚み方向のリタデーション（Ｒｔｈ）が７８００ｎｍであるポリエステルフィルムを含まない」点で一致する。
　
(カ)以上のことから、本件訂正発明２と引用発明とは、以下の点で一致する。
　＜一致点＞
　「光源側偏光板及び視認側偏光板、並びにこれらの偏光板の間に配置される液晶セルを含む液晶表示装置であり、
　光源側偏光板及び視認側偏光板が、それぞれ、ポリビニルアルコールフィルムからなる偏光子の両側に偏光子保護フィルムが設けられた偏光板であり、
　光源側偏光板の光源側偏光子保護フィルム又は視認側偏光板の視認側偏光子保護フィルムの少なくとも一方が、下記条件Ａを満たし、
　光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有する一軸延伸ポリエステルフィルム(但し、厚みが７５μｍであり、リタデーションが７３５０ｎｍであり、厚み方向のリタデーション（Ｒｔｈ）が７８００ｎｍである前記ポリエステルフィルムを除く)
条件Ｂ：面内リタデーション（Ｒｅ）がハｎｍ以下であり、且つ、厚み方向リタデーション（Ｒｔｈ）が二ｎｍ以下」
(キ)一方、両者は、以下の点で相違する。
　＜相違点３＞
　液晶セルに関して、
　本件訂正発明２は、「インプレーンスイッチング（ＩＰＳ）型液晶セル」であるのに対して、
　引用発明は、不明である点。
　＜相違点４＞
　条件Ａに関して、
　本件訂正発明２は、
　ａ　「フィルム流れ方向に対して＋４５度方向の熱収縮率とフィルム流れ方向に対して−４５度方向の熱収縮率との差が０．４％以下（ここで、前記熱収縮率は、フィルムを８５℃で３０分間、水中で加熱処理した時に求められる値である。）」であり、
　ｂ　「面配向度が０．０８〜０．１３」であるのに対して、
　引用発明は、熱収縮率の差及び面配向度が不明である点。
　
　＜相違点５＞
　条件Ｂに関して、
　本件訂正発明２は、「面内リタデーション（Ｒｅ）が１０ｎｍ以下であり、且つ、厚み方向リタデーション（Ｒｔｈ）が２０ｎｍ以下」であるのに対して、
　引用発明は、不明である点。
イ　判断
(ア)まず、上記＜相違点４＞について検討する。
　a　甲第１０号証には、上述のとおり「甲第１０号証に記載された技術事項」が記載されている。
　引用発明の「８０００〜３００００ｎｍのリタデーションを有し、……厚み２５〜２００μｍの一軸延伸又は二軸延伸ポリエステルフィルム」と上記「『同時二軸延伸により得られる』『二軸配向ポリエステルフィルム』」とは、延伸倍率等を制御することにより製造される「延伸ポリエステルフィルム」である点で共通する。
　b　しかしながら、「甲第１０号証に記載の技術事項」は、「『同時二軸延伸により得られる』『二軸延伸ポリエステルフィルム』」に関するものであって、甲第１０号証の他の記載を見ても、「一軸延伸ポリエステルフィルム」の面配向度を「０．１１０〜０．１４０」にすることを示唆する記載はない。
　また、特許異議申立人が提出した他の各甲号証の記載を見ても、面配向度に関する記載はなく、面配向度に着目することを示唆する記載もない。
　c　さらに、引用発明において、一軸延伸ポリエステルフィルムの各複屈折率や厚さを調整することにより、面配向度を０．０８〜０．１３」にするか否かを検討しても、以下のとおり、そのような調整を行う動機はない。
　すなわち、当該調整は、面配向度のみならず、一致点として認定された面内リタデーションの値及びＮｚ係数の値にも影響を及ぼすものであり、しかも、当該調整をすることで至ることができる本件訂正発明２は、上記面内リタデーションの値及びＮｚ係数の値に加え、相違点４に係る構成をも備えることにより、「液晶表示装置を斜め方向から観察した場合に角度によって観察される虹斑を完全に解消することができる」という作用効果を奏するものである。
　そうすると、引用発明から出発した当業者が、一致点を維持しつつ、相違点４に係る構成に至るためには、甲第１０号証や他の各甲号証に、そのような調整をするための積極的ないし具体的な動機が記載されていることを要するというべきところ、これらの証拠には、そのようなものが見いだせない。
　したがって、引用発明において、一軸延伸ポリエステルフィルムの各複屈折率や厚さを調整することにより、相違点４に係る構成に至る動機はない。
(イ)以上の検討によれば、他の相違点について検討するまでもなく、本件訂正発明２は、当業者が引用発明及び甲第１０号証に記載された技術事項に基づいて容易に発明することができたものであるとはいえない。
　ウ　令和２年５月８日提出の意見書（特許異議申立人）における主張について
　請求人は、甲２号証(特開２０１１−５９４８８号公報)の【００７２】には、Ｎｚ係数は、２．０未満であれば小さいほど色ムラ低減の効果を発揮すること、甲第９号証の【００４３】には、比(Ｒｅ／Ｒｔｈ)が大きいほど、複屈折の作用は等方性を増し、観察角度による虹状の色斑の発生が生じ難くなることが記載されており、引用発明において、色斑低減のためにＲｔｈを小さくする動機付けがある旨主張する(第５頁中段ないし第６頁上段)。
　しかしながら、「Ｎｚ係数(Ｒｔｈ／Ｒｅ＋０．５)」を小さく、比(Ｒｅ／Ｒｔｈ)を大きくするためには、Ｒｔｈを小さくする以外に、Ｒｅを大きくしてもよいのであるから、甲第９号証が、色斑低減のためにＲｔｈを小さくすることを開示しているとまでは言い難い。そうであるならば、甲第２号証の【００７２】及び甲第９号証の【００４３】の記載を考慮したとしても、上記イ（ア）でした判断が左右されることはない。
　よって、特許異議申立人の主張は採用できない。
　エ　本件訂正発明２についての小括
　本件訂正発明２は、当業者が引用発明及び甲第１０号証に記載された技術事項に基づいて容易に発明をすることができたものであるとはいえない。
(３) 本件訂正発明３について
　ア　対比
(ア)a 引用発明の「光源側偏光板」及び「視認側偏光板」は、本訂正件発明３の「偏光板」に相当する。
　以下、同様に、
　「視認側偏光板の視認側偏光子保護フィルム」は、「一方の偏光子保護フィルム」に、
　「視認側偏光板の光源側偏光子保護フィルム」は、「他方の偏光子保護フィルム」に、それぞれ、相当する。　
　
(イ)引用発明の「光源側偏光板及び視認側偏光板」は、「ポリビニルアルコールにヨウ素を染着させた偏光子を２枚の偏光子保護フィルムを張り合わせた構造」を有するから、本件訂正発明３と引用発明とは「ポリビニルアルコールフィルムからなる偏光子の両面に偏光子保護フィルムが設けられた偏光板である」点で一致する。
　　
(ウ)ａ　偏光板は、ポリビニルアルコールフィルムをロールから連続的に巻き出し、染色タンクに搬送して染料を吸着させ、次いで延伸タンクに搬送して搬送方向に延伸して偏光子を形成し、この偏光子の両面に、上下２つのロールから偏光子保護フィルムを連続的に巻き出しながらラミネートし、最後にロール状に巻き取ることにより製造されることが、技術常識であると認められるところ、
　引用発明の「視認側偏光子保護フィルム」は、「厚み２５〜２００μｍの一軸延伸又は二軸延伸ポリエステルフィルム」であるから、その製造工程における「ＭＤ方向」、「ＴＤ方向」、「ＭＤ方向（フィルム流れ方向）に対して＋４５度方向」及び「ＭＤ方向（フィルム流れ方向）に対して−４５度方向」のそれぞれに、所定の熱収縮率を有することは、当業者にとって明らかである。
　b　そうすると、上記工程で製造された引用発明の「視認側偏光板」における「視認側偏光子保護フィルム」は、ポリビニルアルコールのフィルム流れ方向に対して、「＋４５度方向の熱収縮率」と「−４５度方向の熱収縮率」との差が所定値以下であることは、明らかである。
　c　また、引用発明の「視認側偏光子保護フィルム」は、「比（Ｒｅ／Ｒｔｈ）を約１．０〜１．２とした」ものであるところ、Ｎｚ係数は、ＲｅとＲｔｈを用いると、Ｒｔｈ／Ｒｅ＋０．５と表せることから、該フィルムのＮｚ係数は、１．３〜１．５程度である。
　
　d　さらに、面配向度ΔＰは「（ｎｘ＋ｎｙ)／２−ｎｚ）」又は「Ｒｔｈ／ｄ」で表せることから、引用発明の「８０００〜３００００ｎｍのリタデーションを有し…厚み２５〜２００μｍの一軸延伸又は二軸延伸ポリエステルフィルム」は、所定の面配向度を有することは、明らかである。
　
　e　そうすると、本件訂正発明３と引用発明とは、
　「ポリビニルアルコールフィルムからなる偏光子の両面に偏光子保護フィルムが設けられた偏光板であり、一方の偏光子保護フィルムが下記条件Ａを満たす、偏光板。
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有する
一軸延伸
(エ)引用発明の「光源側偏光子保護フィルム」は、「ＴＡＣフィルムやアクリルフィルム、ノルボルネン系フィルムに代表されるような複屈折が無いフィルム」であるから、所定の面内リタデーション（Ｒｅ）と、所定の厚み方向リタデーション（Ｒｔｈ）を有することは、当業者にとって明らかであるから、本件訂正発明３と引用発明とは、「他方の偏光子保護フィルムが下記条件Ｂを満たす、
条件Ｂ：面内リタデーション（Ｒｅ）がハｎｍ以下であり、かつ、厚み方向のリタデーション（Ｒｔｈ）が二ｎｍ以下である」点で一致する。
(オ)引用発明の「視認側偏光子保護フィルム」は、「８０００〜３００００ｎｍのリタデーション」であるから、リタデーションが７３５０ｎｍであるポリエステルフィルムを含まない。
　よって、本件訂正発明３と引用発明とは、「厚みが７５μｍであり、リタデーションが７３５０ｎｍであり、厚み方向のリタデーション（Ｒｔｈ）が７８００ｎｍであるポリエステルフィルムを含まない」点で一致する。
　
(カ)以上のことから、本件訂正発明３と引用発明とは、以下の点で一致する。
　＜一致点＞
　「ポリビニルアルコールフィルムからなる偏光子の両面に偏光子保護フィルムが設けられた偏光板であり、一方の偏光子保護フィルムが下記条件Ａを満たし、他方の偏光子保護フィルムが下記条件Ｂを満たす、偏光板。
条件Ａ：フィルム流れ方向に対して＋４５度方向の熱収縮率とフィルム流れ方向に対して−４５度方向の熱収縮率との差がイ％以下、Ｎｚ係数が１．７以下であり、面配向度がロであり、４５００〜３００００ｎｍのリタデーションを有する
一軸延伸
条件Ｂ：面内リタデーション（Ｒｅ）がハｎｍ以下であり、かつ、厚み方向のリタデーション（Ｒｔｈ）が二ｎｍ以下」
(キ)一方、両者は、以下の点で相違する。
　＜相違点６＞
　条件Ａに関して、
　本件訂正発明３は、
　ａ　「フィルム流れ方向に対して＋４５度方向の熱収縮率とフィルム流れ方向に対して−４５度方向の熱収縮率との差が０．４％以下（ここで、前記熱収縮率は、フィルムを８５℃で３０分間、水中で加熱処理した時に求められる値である。）」であり、
　ｂ　「面配向度が０．０８〜０．１３」であるのに対して、
　引用発明は、熱収縮率の差及び面配向度が不明である点。
　
　＜相違点７＞
　条件Ｂに関して、
　本件訂正発明３は、「面内リタデーション（Ｒｅ）が１０ｎｍ以下であり、且つ、厚み方向リタデーション（Ｒｔｈ）が２０ｎｍ以下」であるのに対して、
　引用発明は、不明である点。
　イ　判断
(ア)まず、上記＜相違点６＞について検討する。
　上記〈相違点４〉と同様。
(イ)以上の検討によれば、他の相違点について検討するまでもなく、本件訂正発明３は、当業者が引用発明及び甲第１０号証に記載された技術事項に基づいて容易に発明をすることができたものであるとはいえない。
　
　ウ　令和２年５月８日提出の意見書（特許異議申立人）における主張について
　請求人は、甲２号証(特開２０１１−５９４８８号公報)の【００７２】には、Ｎｚ係数は、２．０未満であれば小さいほど色ムラ低減の効果を発揮すること、甲９号証の【００４３】には、比(Ｒｅ／Ｒｔｈ)が大きいほど、複屈折の作用は等方性を増し、観察角度による虹状の色斑の発生が生じ難くなることが記載されており、引用発明において、色斑低減のためにＲｔｈを小さくする動機付けがある旨主張する(第５頁中段ないし第６頁上段)。
　しかしながら、「Ｎｚ係数(Ｒｔｈ／Ｒｅ＋０．５)」を小さく、比(Ｒｅ／Ｒｔｈ)を大きくするためには、Ｒｔｈを小さくする以外に、Ｒｅを大きくしてもよく、上記イ（ア）と同様の理由で、そのようにする動機はない。
　したがって、当業者が、引用発明、及び甲第２号証又は甲第１０号証に記載された技術的事項に基づいて本件訂正発明３に係る構成に至ることはない。
　
　エ　本件訂正発明３についての小括
　本件訂正発明３は、当業者が引用発明及び甲第１０号証に記載された技術事項に基づいて容易に発明をすることができたものであるとはいえない。
(４)【理由２】（進歩性欠如）についてのまとめ
　本件訂正発明１は、「【理由２】（進歩性欠如）」によっては、取り消すべきものである。
　本件訂正発明２及び本件訂正発明３は、「【理由２】（進歩性欠如）」によっては、取り消すことができない。
４　【理由３】（明確性要件違反）について
　理由（１）：「条件Ａ」に関する発明特定事項は、液晶表示装置及び偏光板の構成（物の構造）をどのように特定することになるのか不明瞭である。
理由（２）：熱収縮率は、測定条件（温度、湿度、時間等）により異なるものと解され、「条件Ａ」に該当するフィルムを特定することができない。
(１)まず、理由(２)について
　本件訂正により、「(ここで、前記熱収縮率は、フィルムを８５℃で３０分間、水中で加熱処理した時に求められる値である)」との構成が追加され、これにより、測定条件が明確になり、理由(２)は解消された。
(２)次に、理由(１)について
　ア　偏光板は、ポリビニルアルコールフィルムをロールから連続的に巻き出し、染色タンクに搬送して染料を吸着させ、次いで延伸タンクに搬送して搬送方向に延伸して偏光子を形成し、この偏光子の両面に、上下２つのロールから偏光子保護フィルムを連続的に巻き出しながらラミネートし、最後にロール状に巻き取ることにより製造されることが、技術常識であると認められる。
　
　イ　上記技術常識によれば、偏光フィルムにおいては、「フィルム流れ方向」と延伸方向とが一致することになる。そして、当該延伸方向が偏光子の吸収軸に対して平行な方向になることも技術常識である。
そうすると、「フィルム流れ方向」とは、偏光子の吸収軸に対して平行な方向であると解するのが自然であり（なお、特許権者もそのように説明をする。）、本件明細書の他の箇所をみても、その理解に反する記載は存在しない。
　そうだとすると、製造後の偏光板であっても、偏光子の吸収軸の方向を調べることにより「フィルム流れ方向」を特定することができることになる。
　ウ　よって、理由(３)は解消された。
(３)令和２年５月８日提出の意見書（特許異議申立人）における主張について
　特許異議申立人は、偏光フィルム(偏光子)の吸収軸と保護フィルムの流れ方向とは、平行な方向以外もあり、保護フィルムの流れ方向が偏光子の吸収軸に対して平行な方向であることは、本件特許の出願時に技術常識であるとはいえない旨主張する(第１０頁上段)。
　しかしながら、「フィルム流れ方向」とは、その文言に照らせば、ポリビニルアルコールフィルムの搬送方向であると解すべきであって、偏光子保護フィルム(ポリエステルフィルム)の搬送方向ではない。
　よって、特許異議申立人の主張は、上記(２)の判断を左右するものではない。
　　
(４) 【理由３】（明確性要件違反）についてのまとめ
　本件訂正発明１ないし本件訂正発明３は、「【理由３】（明確性要件違反）」によっては、取り消すことができない。
５　【理由１】（新規性欠如）について
(１)本件訂正発明１について
　上記「２　【理由２】（進歩性欠如）について」で検討したように、本件訂正発明１と引用発明とは、上記＜相違点１＞及び上記＜相違点２＞で相違する。
　よて、本件訂正発明１は、引用発明であるとはいえない。
(２)本件訂正発明２について
　上記「２　【理由２】（進歩性欠如）について」で検討したように、本件訂正発明２と引用発明とは、上記＜相違点３＞ないし上記＜相違点５＞で相違する。
　よて、本件訂正発明２は、引用発明であるとはいえない。
(３)本件訂正発明３について
　上記「２　【理由２】（進歩性欠如）について」で検討したように、本件訂正発明３と引用発明とは、上記＜相違点６＞及び上記＜相違点７＞で相違する。
　よて、本件訂正発明３は、引用発明であるとはいえない。
(４)【理由１】（新規性欠如）についてのまとめ
　本件訂正発明１ないし本件訂正発明３は、「【理由１】（新規性欠如）」によっては、取り消すことができない。
６　取消理由(決定の予告)において採用しなかった特許異議申立理由について
(１)特許法第２９条第２項について
　特許異議申立人は、甲第１号証(特開２００４−２２６７３４号公報)に記載された発明と周知技術とを組み合わせることにより、本件訂正発明１ないし３は、当業者が容易に想到し得る旨を主張している。
　しかしながら、甲第１号証に記載された発明は、面配向度について何ら記載されておらず、さらに、一致点を維持しつつ、一軸延伸ポリエステルフィルムの各複屈折率や厚さを調整することにより、面配向度を「０．０８〜０．１３」とする動機はない。
　したがって、特許異議申立人の主張する特許異議申立て理由によっては、本件訂正発明２ないし３に係る特許を取り消すことはできない。
よって、特許異議申立人の当該主張は、採用することはできない。
　　
第６　むすび
　以上のとおり、本件訂正発明１は、当業者が甲第９号証及び第１０号証に基づいて容易に発明をすることができたものであるから、本件訂正発明１に係る特許は、特許法第２９条第２項の規定に違反してされたものであり、特許法第１１３条第２号に該当し、取り消されるべきものである。
　また、本件訂正発明２及び本件訂正発明３に係る特許は、取消理由及び特許異議申立書に記載された理由によっては取り消すことができない。
　よって、結論のとおり決定する。　　 　
【異議決定日】
令和２年７月２２日（２０２０．７．２２）
【訂正の要旨】
審決（決定）の【理由】欄参照。
（５７）【特許請求の範囲】
　【請求項１】
光源側偏光板及び視認側偏光板、並びにこれらの偏光板の間に配置される液晶セルを含む液晶表示装置であり、
光源側偏光板及び視認側偏光板が、それぞれ、ポリビニルアルコールフィルムからなる偏光子の両面に偏光子保護フィルムが設けられた偏光板であり、
光源側偏光板の光源側偏光子保護フィルム又は視認側偏光板の視認側偏光子保護フィルムの少なくとも一方が、下記条件Ａを満たし、
光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下であり
（ここで、前記熱収縮率は、フィルムを８５℃で３０分間、水中で加熱処理した時に求められる値である）
Ｎｚ係数が１．７以下であり、面配向度が０．０８〜０．１３であり、
（但し、厚みが７５μｍであり、リタデーションが７３５０ｎｍであり、厚み方向のリタデーション（Ｒｔｈ）が７８００ｎｍである前記ポリエステルフィルムを除く）
条件Ｂ：面内リタデーション（Ｒｅ）が１０ｎｍ以下であり、且つ、厚み方向リタデーション（Ｒｔｈ）が２０ｎｍ以下
　【請求項２】
光源側偏光板及び視認側偏光板、並びにこれらの偏光板の間に配置される液晶セルを含む液晶表示装置であり、
液晶セルがインプレーンスイッチング（ＩＰＳ）型液晶セルであり、
光源側偏光板及び視認側偏光板が、それぞれ、ポリビニルアルコールフィルムからなる偏光子の両面に偏光子保護フィルムが設けられた偏光板であり、
光源側偏光板の光源側偏光子保護フィルム及び視認側偏光板の視認側偏光子保護フィルムが、下記条件Ａを満たし、
光源側偏光板の液晶セル側偏光子保護フィルム又は視認側偏光板の液晶セル側偏光子保護フィルムの少なくとも一方が、下記条件Ｂを満たす、
液晶表示装置。
条件Ａ：フィルム流れ方向に対して＋４５度方向の熱収縮率とフィルム流れ方向に対して−４５度方向の熱収縮率との差が０．４％以下であり（ここで、前記熱収縮率は、フィルムを８５℃で３０分間、水中で加熱処理した時に求められる値である）、Ｎｚ係数が１．７以下であり、面配向度が０．０８〜０．１３であり、４５００〜３００００ｎｍのリタデーションを有する一軸延伸ポリエステルフィルム（但し、厚みが７５μｍであり、リタデーションが７３５０ｎｍであり、厚み方向のリタデーション（Ｒｔｈ）が７８００ｎｍである前記ポリエステルフィルムを除く）
条件Ｂ：面内リタデーション（Ｒｅ）が１０ｎｍ以下であり、且つ、厚み方向リタデーション（Ｒｔｈ）が２０ｎｍ以下
　【請求項３】
ポリビニルアルコールフィルムからなる
ム
条件Ａ：フィルム流れ方向に対して＋４５度方向の熱収縮率とフィルム流れ方向に対して−４５度方向の熱収縮率との差が０．４％以下であり
（ここで、前記熱収縮率は、フィルムを８５℃で３０分間、水中で加熱処理した時に求められる値である）
Ｎｚ係数が１．７以下であり、面配向度が０．０８〜０．１３であり、
一軸延伸
（但し、厚みが７５μｍであり、リタデーションが７３５０ｎｍであり、厚み方向のリタデーション（Ｒｔｈ）が７８００ｎｍである前記ポリエステルフィルムを除く）
条件Ｂ：面内リタデーション（Ｒｅ）が１０ｎｍ以下であり、且つ、厚み方向リタデーション（Ｒｔｈ）が２０ｎｍ以下